(57)【特許請求の範囲】
【請求項１】
対向壁面部に固定調整部材を備えた側面略コ字状係止枠体と、該係止枠体に連なる基体盤部及び該基体盤部上に折畳自在に軸着する立設盤部でなる側面略Ｌ字状作業枠体と、該立設盤部上に折畳自在に軸着する保護枠体と、該作業枠体の側面又は背面に開閉自在に軸着しかつ該側面略Ｌ字状作業枠体を支持する支持部材とで構成したことを特徴とする作業用架台の構造。
【発明の詳細な説明】
【０００１】
【発明が属する技術分野】
本発明は、マンションやビルディング等各種の建築物の建設工事や修理工事等を施工するに際し、作業員にとって、安全かつ作業を容易にする作業用架台の構造に関するものである。
【０００２】
【従来の技術】
従来の技術に於いては、例えば、マンション等の外壁の修理工事等を施工する場合、当該マンションの外域に鉄パイプや鉄骨等により工事用足場を組む必要があった。
また、他の方法としては、作業員は当該マンションの外壁等に梯子を引掛けて、これを上り下りしながら修理工事等を施工するものであった。
【０００３】
【発明が解決しようとする課題】
従来の技術は上述の構成や方法であるので、次の問題点があった。
すなわち、マンションの外域に工事用足場を組む場合は、当該工事用足場を組むためのスペースを確保する必要があるばかりか、当該工事用足場を組むための鉄パイプや床材等の資材又は足場組立工数が増大すると共に、足場組立要員が必要となり、施工工事の迅速化が図れず工事費用が嵩む等問題点があった。また、当該マンション等建築物の相互の隣接空間等が狭い場合、当該工事用足場を組むことができず、施工工事が限定されてしまうという欠点があった。
【０００４】
また、当該マンション等の建築物の外壁に梯子を引掛ける方法によれば、当該梯子は外壁から離脱の惧れがあると共に揺動し易く、作業員が修理工事等の作業をし難く、当該作業員の安全性を確保できないという問題点があった。
【０００５】
【課題を解決するための手段】
本発明は、修理工事等を施工する建築物の一部に簡単かつ迅速な手順で配置すると共に、構造が簡単であるばかりか、使用しないときは折畳み可能な作業用架台を提供し、もって当該建築物の修理工事等の迅速化及び作業員の安全確保を図ることを目的としたものであって、次の構成、手段から成立する。
【０００６】
請求項１記載の発明によれば、対向壁面部に固定調整部材を備えた側面略コ字状係止枠体と、該係止枠体に連なる基体盤部及び該基体盤部上に折畳自在に軸着する立設盤部でなる側面略Ｌ字状作業枠体と、該立設盤部上に折畳自在に軸着する保護枠体と、該作業枠体の側面又は背面に開閉自在に軸着しかつ該側面略Ｌ字状作業枠体を支持する支持部材とで構成したことを特徴とする作業用架台の構造である。
【０００７】
【発明の実施の形態】
本発明に係る作業用架台の構造の実施の形態について、添付図面に基づき説明する。
【０００８】
【発明の実施の形態１】
図１は、本発明に係る作業用架台の構造の実施の形態１を示す斜視図である。
図２は、図１に於ける下外壁部分の拡大図である。
【０００９】
図１及び図２について説明し、本発明に係る作業用架台の構造の実施の形態１を明らかにする。
図１は、ビルディングに於ける外壁の汚れに伴う外壁の補修工事、例えば、ペンキ塗り工事を行う場合の状態を示す斜視図である。
１、２は、ビルディング等の上、下外壁であり、その上、下外壁１、２間に窓３を設けている。該窓３には窓ガラスが介装しており、図２に示す場合はこの窓ガラスを外した状態を示しており、そのためその部分が空間を形成している。該窓３の上端は前記外壁１の一部であって、例えば、上側窓敷居部１ａを、該窓３の下端は前記下外壁２の一部であって、例えば、下側窓敷居部２ａを、それぞれ構成している。前記上外壁１及び下外壁２は図１に示すように所定の厚さと所定の立設長を有している。そして、本実施の形態１では、前記上、下外壁１、２に上側窓敷居部１ａ及び下側窓敷居部２ａを備えたことから、該上、下外壁１、２は木材や合成樹脂建材等の材料で構成されるが、本発明はこれに限定されず、コンクリート材料、各種の金属材料又は石材等で構成してもよい。
尚、図中、４は当該ビルディング等の各上下階を仕切る室内床であって、上述した上、下外壁１、２と例えば、同一材質及び同一幅を有して一体的に構成している。また、当該室内床４は該上、下外壁１、２に嵌込み型として連結し別部材で構成しても差支えない。
【００１０】
次に、本発明に係る作業用架台に於ける実施の形態１について図１に基づき説明する。
Ａは、本発明に係る作業用架台であって、側面略コ字状係止枠体５、該側面略コ字状係止枠体５に一体的に連なる側面略Ｌ字状作業枠体６、該側面略Ｌ字状作業枠体６の上端に設置した保護枠体７で構成している。また、本発明では、図１に示すように、当該作業用架台Ａは前記側面略Ｌ字状作業枠体６の側面又は背面に連結しかつ該側面略Ｌ字状作業枠体６を支持する互いに対向した複数すなわち２本の支持部材８、８や単一の支持部材（図示せず）を設置してもよい。また、作業用架台Ａはアルミニューム材、合成樹脂材、鉄材、木材等各種の材料で構成されるものである。
【００１１】
前記側面略コ字状係止枠体５は図１に示すように全体として、例えば、略箱状体を形成しており、２つの対向壁面部５１、５２及び該２つの対向壁面部５１、５２の上端間は水平板部５３で閉塞されている。そして、前記２つの対向壁面部５１、５２の対向面間幅長Ｂは前記下側窓敷居部２ａ又は下外壁２の幅長Ｃより長く設定している。つまり、対向面間幅長Ｂ＞下側窓敷居部２ａ又は下外壁２の幅長Ｃ、の関係にある。これは、ペンキ塗り工事等を行う際、当該作業用架台Ａの対向壁面部５１、５２を前記下外壁２に引掛けるためである。
【００１２】
前記２つの対向壁面部５１、５２はその垂直長が各々不揃いであるが、略同一長としても差支えない。また、該対向壁面部５１、５２の垂直長及び幅長又は厚さは、ペンキ塗り工事等を行う際、前記側面略Ｌ字状作業枠体６に作業員が乗込むときにかかる加重に耐えるように設計される。従って、当該加重が大きい場合は、前記対向壁面部５１、５２の垂直長や厚さを長くかつ厚く設定し、当該加重が小さい場合はそれを短くかつ薄く設定することもできる。そして、該対向壁面部５１、５２の垂直長や厚さを長くかつ厚く設定し、当該加重が小さい場合はそれを短くかつ薄く設定することもできる。そして、該対向壁面部５１、５２の厚さは当該加重に応じて前記側面略Ｌ字状作業枠体６の厚さより厚く又は薄く設定し、当該作業用架台Ａを成形するための材料量やその構成部品の材料選定を合理的に設定することができる。
【００１３】
９は前記２つの対向壁面部５１、５２の一方又は両方に配置された固定調整部材であって、図１に示す本発明の実施の形態１では、該２つの対向壁面部５１、５２の両方にかつ上下左右に合計８ヶ所配置した例を示す。該固定調整部材９は例えば、図２に示すように螺子付ボルトで構成されており、一方側つまり前記下外壁２の表面に圧接する部分に弾性ゴムや軟質樹脂等で構成された緩衝部材９ａを付設した係止片９ｂを、他方側つまり前記対向壁面部５２の外側に回転ノブ等で構成した摘み９ｃを、一方側と他方側の中間位置に雄螺子を周囲に刻設したボルト部９ｄを、それぞれ設け、それらが一体形成された単一の螺子付ボルト９を構成するものである。また、螺子付ボルト９は、前記対向壁面部５１又は５２の左右上下位置、例えば４ヶ所に雌螺子を両者合計で８ヶ所設定し、これに該螺子付ボルト９のボルト部９ｄを螺合して該対向壁面部５１又は５２に固定する。前記螺子付ボルト９は、該対向壁面部５１又は５２のみに上下左右の４ヶ所を配置してもよいが、本発明技術はこれに左右２ヶ所のみ配置してもよく、また、図２に示す実施例のように、前記対向壁面部５１、５２に上下左右の４ヶ所つまり全体で８ヶ所を配置してもよいものであり、前記側面略Ｌ字状作業枠体６に作業員等が乗込んだ際にかかる加重や該側面略Ｌ字状作業枠体６が必要とする強度に応じて設定する。
【００１４】
前記側面略Ｌ字状作業枠体６は、基体盤部６１とこの基体盤部６１に略直角方向かつ垂直方向に立設する立設盤部６２で構成されている。そして、側面からみれば、全体として略Ｌ字状に形成されている。前記基体盤部６１は略矩形板状であって、例えば、前記側面略コ字状係止枠体５の対向壁面部５１と例えば略同一の左右水平長及び厚さ等に設定すると共に、成形型を用いて該対向壁面部５１に一体成形する。また、該基体盤部６１の前端が該対向壁面部５１と連なる方法としては、嵌込み式、重ね合せ方式や埋込み式又は両者を衝合せて蝶番等の連結金具等により両者を連結することもできる。
尚、前記側面略Ｌ字状作業枠体６は立設長を長くする等して、前記保護枠体７の機能を併有することができる。
【００１５】
前記立設盤部６２は前記基体盤部６１と同様に略同一の左右水平長及び同一の厚さ等に設定した略矩形板状であって、その下端は前記基体盤部６１の後端（前記対向壁面部５１の反対端）に一体形成して立設固定している。また、前記基体盤部６１の後端と前記立設盤部６２の下端は軸部材７ｂで両者を固定し、更に該立設盤部６２を例えば、当該作業用架台Ａの不使用時に該基体盤部６１上に折畳み自在となるように回動させるように構成してもよい。そして、前記軸部材７ｂの構造は作業者が例えば手動等でねじ締め又はその解放ができる構成とし、前記立設盤部６２の立設長Ｄを前記基体盤部６１の前後内幅長Ｅより若干短く設定し、折畳み収納可能に構成するとよい。
【００１６】
前記保護枠体７は、例えば、アルミニューム材や合成樹脂材又は鉄材、木材等の材料で構成された略矩形の薄板状でなるものであり、その下端は前記側面略Ｌ字状作業枠体６の上端に立設して固定されている。当該保護枠体７は、作業員が例えば上外壁１のペンキ塗り等の工事を施工する際、落下等の事故を防止するために設置するもので、前記側面略Ｌ字状作業枠体６がこの機能を有するときは省略してもよい。また、該保護枠体７の下端と前記側面略Ｌ字状作業枠体６の上端は軸部材７ａで両者を固定し、更に、該保護枠体７を、例えば不要時又は当該作業用架台Ａの不使用時に該側面略Ｌ字状作業枠体６の立設盤部６２の表面又は裏面上に折畳み自在となるように回動させるように構成してもよい。そして、前記軸部材７ａの構造は、作業者が例えば手動等でねじ締め又はその解放ができる構成とする。尚、前記保護枠体７は、略矩形の薄板状の構造に限定されず、網目状や格子状等各種の形状であっても差支えない。
【００１７】
２本の支持部材８、８は、その一端を前記側面略Ｌ字状作業枠体６の立設盤部６２若しくは基体盤部６１の一部に、望ましくは、該立設盤部６２と基体盤部６１の連結部分に固定し又は係止し、その他端は当接部品８ａ、８ａを備え、該当接部品８ａ、８ａが修理工事等の際、前記下外壁２に衝当させて、当該側面略Ｌ字状作業枠体６又は基体盤部６１を支持する。また、前記２本の支持部材８、８の一端は、前述した基体盤部６１の後端と前記立設盤部６２の下端を連結した軸部材７ｂに一緒に固定し、前記作業用架台Ａの不使用時に於いて、該立設盤部６２を折畳む動作に合せて当該支持部材８、８を図１に示す矢視Ｆ方向に右側回転させ又はＧ方向に左側回転させて該立設盤部６２の両側部６２ａ、６２ｂ又は基体盤部６１の両側部６１ａ、６１ｂに収納する。そして、前記軸部材７ｂの構造は前述したように作業者が例えば手動等でねじ締め又はその解放ができる構成とする。
【００１８】
次に、前記本発明に係る作業用架台Ａを使用して建築物の補修工事、例えば、ペンキ塗り等の工事を施工する場合についての作業手順や動作等を説明する。
【００１９】
先ず補修工事発注者からの注文により前記補修工事をすることを決定したとき、補修施工業者は、マンションやビルディング等の特定建築物が所在する現地へ作業用車両等で前記作業用架台Ａを運搬する。而して、例えば、該作業用車両等に搭載しているクレーンや持上げ機械又はその他の手段、方法を用いて、該補修に係る建築物の補修を施工する該当外壁部分付近まで当該作業用架台Ａを持上げる。
そこで、作業者等は補修工事を施工する所定階のルームの窓ガラス（図示せず）を取外し、窓３を空間状態とする。該作業用架台Ａの前記側面略コ字状係止枠体５を当該建築物の下外壁２に係止する。このとき、該側面略コ字状係止枠体５の対向壁面部５１の内壁面と前記下外壁２の一方面及び該側面略コ字状係止枠体５の対向壁面部５２の内壁面と前記下外壁２の他方面が対面状態となっている。このような状態では、後述する螺子付ボルト９を上記下外壁２にねじ締めをしていないので両者はガタ付く関係である。
また、前記対向壁部５１及び／又は前記対向壁部５２の左、右及び／又は上、下の所望部位には貫通して形成された雌螺子を有している。該雌螺子と螺合する雄螺子を形成したボルト部９ｄを螺子付ボルト９に有しており、当該ボルト部９ｄが前記雌螺子と螺合し、該螺子付ボルト９が該対向壁部５１及び／又は前記対向壁部５２に予め係止している。
【００２０】
次に、作業者は、前記複数個、例えば８個の前記螺子付ボルト９の各々の摘み９ｃを回動させるに従って、該ボルト部９ｄのすべてを下外壁２側に進入させる。そこで、各々の該螺子付ボルト９の係止片９ｂ及び緩衝部材９ａが前記下外壁２の一方面及び他方面又はいずれかの面に押付け固定される。このような状態では、該側面略コ字状係止枠体５が前記下外壁２に緊密に堅固に固定された状態である。また、前述では、作業用架台Ａが前記螺子付ボルト９を前記下外壁２に具備した構成であるが、本発明はこの構成に限定されず、前記螺子付ボルト９を省略すると共に、該側面略コ字状係止枠体５の対向壁面部５１、５２間の間隔を狭くして前記下外壁２に密着状態に嵌合した構成でもよい。
尚、上記下外壁２は上述した構成に限定されず、各種のマンション等のベランダや仕切り壁その他各種の突起壁や家屋の一部等であってもよい。
【００２１】
前記側面略Ｌ字状作業枠体６は該側面略コ字状係止枠体５に連なっており、作業者は基体盤部６１に乗込み、例えば、図１に示す上外壁１の外壁面１ｂをペンキ塗り等の修理工事を施工する。
尚、当該作業者が修理工事を施工する際、安全対策を講ずる必要があれば、前記保護枠体７を前記側面略Ｌ字状作業枠体６の立設盤部６２の上端に固定すればよい。該保護枠体７が軸部材７ａにより前記側面略Ｌ字状作業枠体６の立設盤部６２に回動自在又は該立設盤部６２の表面又は裏面上に折畳み自在に軸着し、修理工事上必要に応じて立設し、又は不使用時及び不要時に収納する構成にできる。
【００２２】
また、前記側面略Ｌ字状作業枠体６の強度を高めるために、前記支持部材８、８の一端を単一又は複数本を、例えば前記基体盤部６１又は立設盤部６２の裏面等の前述した所定部位に配置しており、当該支持部材８、８を前記した方法により係止又は固定しており、該支持部材８、８の他端の当接部品８ａ、８ａを前記下外壁２の外表面に前述した方法で衝当させる。
尚、作業者が上記基体盤部６１上に乗込んだ際に於ける当該作業用架台Ａに掛る荷重が該側面略コ字状係止枠体５と下外壁２の係止に伴う強度より小さい場合、つまり、当該作業用架台Ａが変形や破損しないとき、当該支持部材８、８を省略してもよい。
【００２３】
また、当該作業員によるペンキ塗り等の修理工事を完了したとき、前記螺子付ボルト９の各々の摘み９ｃを前述した逆の操作を行い、前記係止片９ｂ及び緩衝部材９ａを前記下外壁２から解放し、該作業用架台Ａを前記下外壁２から取外す。そして、当該作業用架台Ａを作業用車両等に再び搭載し、全補修作業工程を終了させる。
【００２４】
当該作業用架台Ａが折畳み自在の構造を採用した場合は、前述したように前記側面略Ｌ字状作業枠体６の上端及び下端又はその他の適宜部位に軸部材７ａ、７ｂ等を備えており、前記支持部材８、８を矢視Ｇ方向に折畳み、次に、前記保護枠体７を該側面略Ｌ字状作業枠体６の立設盤部６２の表面上又は裏面上すなわち矢視Ｈ方向に又は矢視Ｉ方向に折畳む。更に、当該立設盤部６２を基体盤部６１上にすなわち矢視Ｊ方向に折畳み、当該作業用架台Ａ全体が折畳まれ収納される。
尚、本発明は、上記作業用架台Ａに於ける軸部材７ａ、７ｂを排除し、折畳み収納自在としない構成にも適用される。
【００２５】
前述した建築物の修理工事はペンキ塗り等の工事について説明したが、本発明は当該修理工事の適用に限定されず、各種の修理工事やすべての建築物施工工事に拘らず、各家庭やその他工場設備又は事務所作業場等に於ける各種の場所での作業を行う際に使用される作業用架台にも適用される。
【００２６】
【発明の実施の形態２】
図３は、本発明に係る作業用架台の構造の実施の形態２を示す斜視図である。
図３について説明し、本発明に係る作業用架台の構造の実施の形態２を明らかにする。
【００２７】
Ｋは、本発明に係る作業用架台であって、特に、前記本発明の実施の形態１と相異しており、当該側面略コ字状係止枠体１０が、図３に示すように、例えば複数本すなわち２本の角状腕１０ａ、１０ｂで構成している。該２本の角状腕１０ａ、１０ｂは、該側面略Ｌ字状作業枠体６の基体盤部６１の前端の左及び右に例えば一体的に連なって構成されている。
尚、該２本の角状腕１０ａ、１０ｂの基体盤部６１側すなわち該角状腕１０ａ、１０ｂの自由端の反対端は、溶接や加締め工程等で当該基体盤部６１に固定してもよい。
【００２８】
一方、一戸建家屋その他マンション等建築物の窓３付近には、前記下外壁２の上部の一方面２ｂや下側窓敷居部２ａ部分からは保護用手摺１１が設置してある。当該保護用手摺１１は木材、合成樹脂建材の材料やコンクリート材、各種金属材料、石材等で成形するものであって、例えば水平又は垂直方向と相互に所定間隔を有して隙間１１ａを構成し、また網目状や格子状又は穴状に線材や板材等を組合わせて穴部１１ａを構成した各種の手摺である。
【００２９】
そして、前記作業用架台Ｋを前記下外壁２に係止する方法は、前記側面略コ字状係止枠体１０、すなわち例えば、２本の角状腕１０ａ、１０ｂを前記保護用手摺１１の前記隙間又は穴部１１ａ内を挿入して当該下外壁２に係止する。
【００３０】
前記本発明に係る作業用架台の構造の実施の形態２の外の構成および当該作業用架台Ｋを使用して補修工事を施工する場合についての作業手順や動作等は前述した実施の形態１の場合と略同一であるので、同一番号を付しその説明を省略する。
【００３１】
【発明の効果】
本発明に係る作業用架台の構造は上述した構成及び動作を有するので、次の効果がある。
【００３２】
請求項１記載の発明によれば、対向壁面部に固定調整部材を備えた側面略コ字状係止枠体と、該係止枠体に連なる基体盤部及び該基体盤部上に折畳自在に軸着する立設盤部でなる側面略Ｌ字状作業枠体と、該立設盤部上に折畳自在に軸着する保護枠体と、該作業枠体の側面又は背面に開閉自在に軸着しかつ該側面略Ｌ字状作業枠体を支持する支持部材とで構成したことを特徴とする作業用架台の構造を提供する。
このような構成としたので、修理工事や各種の工事等を施工する現地で速やかに利用でき、足場作りのための費用や工数を削減し、もって作業員の作業の効率を向上させ、併せて作業員の安全を確保すると共に当該作業用架台の運搬を容易にしかつ修理工事等を施工する現地での組立や収納を極めて迅速化する効果がある。
【図面の簡単な説明】
【図１】本発明に係る作業用架台の構造の実施の形態１を示す斜視図である。
【図２】図１に於ける下外壁部分の拡大図である。
【図３】本発明に係る作業用架台の構造の実施の形態２を示す斜視図である。
【符号の説明】
１              上外壁
１ａ            上側窓敷居部
１ｂ            上外壁の外壁面
２              下外壁
２ａ            下側窓敷居部
２ｂ            下外壁の上部の一方面
３              窓
４              室内床
５              側面略コ字状係止枠体
５１、５２      対向壁面部
５３            水平板部
６              側面略Ｌ字状作業枠体
６１            基体盤部
６１ａ、６１ｂ  基体盤部の両側部
６２            立設盤部
６２ａ、６２ｂ  立設盤部の両側部
７              保護枠体
７ａ、７ｂ      軸部材
８              支持部材
８ａ            当接部品
９              固定調整部材又は螺子付ボルト
９ａ            緩衝部材
９ｂ            係止片
９ｃ            摘み
９ｄ            ボルト部
１０            側面略コ字状係止枠体
１０ａ、１０ｂ  角状腕
１１            保護用手摺
１１ａ          隙間又は穴部
Ａ              作業用架台
Ｂ              対向面間幅長
Ｃ              下側窓敷居部又は下外壁の幅長
Ｄ              立設盤部の立設長
Ｅ              基体盤部の前後内幅長
Ｋ              作業用架台
【図１】
0003898088.tif 000002
【図２】
0003898088.tif 000003
【図３】
0003898088.tif 000004